(57)【要約】【課題】小型軽量かつ簡単安価な構造によって、光学鏡筒を出射方向に伝播される不要光を効率よく減衰させることができるようにする。【解決手段】レンズ鏡筒１は、光学素子としてレンズ４、５、６、７を主光軸（Ｏ−Ｓ）上に位置決め保持する外鏡筒２および内鏡筒３を備える。内鏡筒３は、鏡筒内面に入射側（被写体側Ｏ）から照射される光線を、出射側（撮像面側）に伝播する光量が低減するよう遮光、または反射させる複数のスラット（Ａ６１）から成るブラインド部Ａ６を備える。【選択図】図１
2018124406.tif 000002
【特許請求の範囲】
【請求項１】
光学素子を光軸上に位置決め保持する光学鏡筒を構成する筒形状の鏡筒部品であって、
前記筒形状の内面に入射側から照射される光線を、出射側に伝播する光量が低減するよう遮光、または反射させる複数のスラットから成るブラインド部を前記筒形状の内面に備えた鏡筒部品。
【請求項２】
請求項１に記載の鏡筒部品において、前記筒形状の内面、または、前記スラットの前記光軸の方向を向く面が反射防止面で構成されている鏡筒部品。
【請求項３】
請求項１または２に記載の鏡筒部品において、前記筒形状の強度保持部を除く内面に前記ブラインド部が形成されている鏡筒部品。
【請求項４】
請求項１から３のいずれか１項に記載の鏡筒部品において、前記ブラインド部が、前記入射側から前記出射側に向って、形状、傾斜角度、または寸法が漸次変化するよう配置された複数の前記スラットを有する鏡筒部品。
【請求項５】
請求項１から４のいずれか１項に記載の鏡筒部品において、複数の前記スラットが、前記光軸と直交する面、または前記光軸と平行な直線、に対して傾斜して配置される鏡筒部品。
【請求項６】
請求項５に記載の鏡筒部品において、複数の前記スラットが、前記光軸と直交する面、または前記光軸と平行な直線に対して傾斜する角度が４５°を中心として±１０°の範囲にある鏡筒部品。
【請求項７】
請求項１から６のいずれか１項に記載の鏡筒部品と、前記鏡筒部品を内鏡筒としてその外側を覆う外鏡筒を備えた光学鏡筒。
【請求項８】
請求項７に記載の光学鏡筒において、前記鏡筒部品の前記ブラインド部と、前記外鏡筒の内面が離間して配置されている光学鏡筒。
【請求項９】
請求項７または８に記載の光学鏡筒を備えた光学機器。
【請求項１０】
光学素子を光軸上に位置決め保持する光学鏡筒を構成する筒形状の鏡筒部品の製造方法において、
前記筒形状の内面に入射側から照射される光線を、出射側に伝播する光量が低減するよう遮光、または反射させる複数のスラットから成るブラインド部を前記筒形状の内面に形成すべく、前記光軸と直交する造形層を３Ｄプリンタにより積層造形する工程を含む鏡筒部品の製造方法。
【請求項１１】
請求項１０に記載の鏡筒部品の製造方法において、複数の前記スラットを、前記造形層に直交する直線に対して傾斜するよう積層造形する鏡筒部品の製造方法。
【請求項１２】
請求項１１に記載の鏡筒部品の製造方法において、複数の前記スラットが、前記造形層に直交する直線に対して傾斜する角度が５０°以下になるよう積層造形される鏡筒部品の製造方法。
【請求項１３】
請求項１０から１２のいずれか１項に記載の３Ｄプリンタによって前記鏡筒部品を造形するための３Ｄプリントデータ。
【請求項１４】
請求項１３に記載の３Ｄプリントデータを格納したコンピュータ読み取り可能な記録媒体。
【発明の詳細な説明】
【技術分野】
【０００１】
本発明は、光学素子を光軸上に位置決め保持する光学鏡筒を構成する筒形状の鏡筒部品、前記鏡筒部品を備えた光学鏡筒、前記光学鏡筒を備えた光学機器、および前記鏡筒部品の製造方法に関する。
【背景技術】
【０００２】
従来、カメラ、顕微鏡、望遠鏡などの光学機器において、光学素子を光軸上に位置決め保持する光学鏡筒では、鏡筒内面での光の反射によってゴーストやフレアが発生する問題が知られている。下記の特許文献１には、レンズ鏡筒の内面に円錐状の突起や、レンズ保持部にＶ字状に配列された溝を設けることにより、多重反射を利用して不要光を減衰させ、ゴーストやフレアを抑制する構成が開示されている。
【先行技術文献】
【特許文献】
【０００３】
【特許文献１】特開２０１１−１０００２０号公報
【発明の概要】
【発明が解決しようとする課題】
【０００４】
従来の光学鏡筒では、カム溝部など特殊な部位を除き、鏡筒内面を環状に覆う遮光壁を配置し、これによりレンズなどの光学素子を介さず鏡筒内に入射する光線を遮光している。しかしながら、一方で、この遮光壁それ自体が不要光を反射させ、不要光を撮像系や接眼光学系が配置された出射側に伝播させてしまう問題が生じる。即ち、レンズなどの光学素子を介して鏡筒内に入射した光が、鏡筒内面の遮光壁で反射することがゴーストやフレアの原因となる。そのため、遮光壁には、特許文献１示されるようなゴースト・フレア防止構造を設けることが考えられている。
【０００５】
しかしながら、光学鏡筒内に特許文献１に示されるようなゴースト・フレア防止、ないし不要光を減衰させるための構造を配置するには一定の体積が必要となり、また、重量が大きくなる問題がある。
【０００６】
本発明の課題は、上記の問題に鑑み、小型軽量かつ簡単安価な構造によって、光学鏡筒を出射方向に伝播される不要光を効率よく減衰させることができるようにすることにある。
【課題を解決するための手段】
【０００７】
上記課題を解決するため、本発明においては、光学素子を光軸上に位置決め保持する光学鏡筒を構成する筒形状の鏡筒部品であって、前記筒形状の内面に入射側から照射される光線を、出射側に伝播する光量が低減するよう遮光、または反射させる複数のスラットから成るブラインド部を前記筒形状の内面に備えた構成を採用した。
【発明の効果】
【０００８】
上記構成によれば、例えば小型軽量かつ簡単安価な構造によって、光学鏡筒を出射方向に伝播される不要光を効率よく減衰させることができる。
【図面の簡単な説明】
【０００９】
【図１】本発明を実施した鏡筒部品を備えた光学鏡筒の構成を示した断面図である。
【図２】図１の光学鏡筒の一部を拡大して示した断面図である。
【図３】本発明を実施した鏡筒部品の光学的な機能を示した説明図である。
【図４】図１の光学鏡筒の構成を示した外観斜視図である。
【図５】内鏡筒として用いられる鏡筒部品の構成例を示した斜視図である。
【図６】本発明を実施した鏡筒部品の光学的な機能を示した説明図である。
【図７】内鏡筒として用いられる鏡筒部品を３Ｄプリントにより造形する例を示した説明図である。
【図８】本発明を実施した鏡筒部品において、異なる傾斜角度のスラットを備えたブラインド部の構成を示した説明図である。
【図９】本発明を実施した鏡筒部品において、異なる断面形状を有するスラットを備えたブラインド部の構成を示した説明図である。
【図１０】本発明を実施した鏡筒部品において、配置位置に応じて間隔や傾斜角度を異ならせたスラットを備えたブラインド部の構成を示した説明図である。
【図１１】本発明を実施した鏡筒部品において、配置位置に応じて間隔や長さを異ならせたスラットを備えたブラインド部の構成を示した説明図である。
【図１２】本発明を実施した鏡筒部品において、断面が曲線ないし曲面によって形成されたスラットを備えたブラインド部の構成を示した説明図である。
【図１３】本発明を実施した鏡筒部品において、屈曲した断面を有するスラットを備えたブラインド部の構成を示した説明図である。
【図１４】本発明を実施した鏡筒部品において、多角形断面を有するスラットを備えたブラインド部の構成を示した説明図である。
【図１５】本発明を実施した鏡筒部品において、３角形断面を有するスラットを備えたブラインド部の構成を示した説明図である。
【図１６】本発明を実施した鏡筒部品を備えた光学鏡筒を有する光学機器の構成例を示した断面図である。
【発明を実施するための形態】
【００１０】
以下、添付図面を参照して本発明を実施するための形態につき説明する。なお、以下に示す構成はあくまでも一例であり、例えば細部の構成については本発明の趣旨を逸脱しない範囲において当業者が適宜変更することができる。また、本実施形態で取り上げる数値は、参考数値であって、本発明を限定するものではない。
【００１１】
以下に示す実施形態では、光学素子を光軸上に位置決め保持する光学鏡筒を例示する。この光学鏡筒は、例えばレンズ鏡筒であり、筒形状の鏡筒部品として、外鏡筒および内鏡筒を備える。この鏡筒部品、特に内鏡筒に相当する鏡筒部品は、前記筒形状の内面に入射側から照射される光線を、出射側に伝播する光量が低減するよう遮光、または反射させる複数のスラットから成るブラインド部を前記筒形状の内面に備える。
【００１２】
また、内鏡筒に相当する鏡筒部品において、前記筒形状の内面、または、前記スラットの前記光軸の方向を向く面は、例えば反射防止面で構成することができる。この反射防止面は、塗装や表面加工によって形成することができる。
【００１３】
また、内鏡筒に相当する鏡筒部品において、前記ブラインド部は、前記筒形状の強度保持部を除く内面に形成しておくことができる。
【００１４】
また、内鏡筒に相当する鏡筒部品において、前記ブラインド部は、前記入射側から前記出射側に向って、形状、傾斜角度、または寸法が漸次変化するよう配置された複数の前記スラットを有する構成とすることができる。
【００１５】
また、内鏡筒に相当する鏡筒部品において、前記ブラインド部の複数のスラットは、前記光軸と直交する面、または前記光軸と平行な直線、に対して傾斜して配置することができる。特にスラットの傾斜面や端面の角度を、スラットの部位によって、異なるものとすることにより、筒形状の内面に入射側から照射される光線を出射側に伝播する光量が低減するようまたは反射させることができ、良好なゴースト・フレア抑制が可能となる。
【００１６】
また、内鏡筒に相当する鏡筒部品において、複数の前記スラットの、前記光軸と直交する面、または前記光軸と平行な直線に対して傾斜する角度は、好ましくは４５°を中心として±１０°程度の範囲に取る。
【００１７】
さらに、前記光学鏡筒は、内鏡筒に相当する鏡筒部品と、その外側を覆う外鏡筒を備えた構成とすることができ、その場合、内鏡筒の前記ブラインド部と、外鏡筒の内面は離間して配置することができる。
【００１８】
また、前記光学鏡筒は、カメラ、望遠鏡、や各種光学測定装置などの光学機器に適用することができる。
【００１９】
さらに、例えば上記の内鏡筒に相当する、鏡筒部品の製造においては、３Ｄプリンタを利用できる。鏡筒内面に入射側から照射される光線を、出射側に伝播する光量が低減するよう遮光、または反射させる複数のスラットから成るブラインド部を前記筒形状の内面に形成すべく、前記光軸と直交する造形層を３Ｄプリンタにより積層造形することができる。
【００２０】
前記造形層を、３Ｄプリントにより積層造形する場合には、複数の前記スラットを、前記造形層に直交する直線に対して傾斜するよう積層造形することができる。そして、複数の前記スラットは、前記造形層に直交する直線に対して傾斜する角度が５０°以下となるよう積層造形される。
【００２１】
＜実施形態１＞
図１および図４は、それぞれ本実施形態の鏡筒部品を用いた光学鏡筒としてのレンズ鏡筒１の断面図および外観斜視図である。このレンズ鏡筒１は、例えば、図１６に示すように、光学機器、例えばカメラ２００の撮影レンズ１００の光学系の前群ユニットを構成するものである。
【００２２】
ここで、図１６を参照して、本実施形態のレンズ鏡筒１を用いたカメラ２００の構成例につき説明しておく。図１６は、本実施形態の鏡筒部品を用いることができる光学機器、特にカメラ２００の構成の一例として、例えば一眼レフデジタルカメラの構成を示している。
【００２３】
図１６において、カメラ本体１０２には、撮影レンズ１００が装着されている。撮影レンズ１００は、カメラ本体１０２のボディに固定的に装着されていてもよいし、あるいは適当な規格化されたレンズマウント（詳細不図示）を介して着脱可能な交換レンズとして構成されていてもよい。
【００２４】
被写体からの反射光は、撮影レンズ１００に含まれる、前群のレンズ４〜７、フォーカスユニット１１４のフォーカスレンズ１１５、絞り１１６後群のレンズ１２０などの光学レンズを介して撮影される。なお、本実施形態の場合、撮影レンズ１００の光学素子は、レンズのみで構成されているが、反射式望遠系の場合には光学素子の一部に凹面鏡などが含まれていてもよい。
【００２５】
撮影レンズ１００は、不図示のフォーカスリングの操作などを介して、フォーカスユニット１１４の内部のフォーカスレンズ１１５の位置を光軸方向に可変移動させることにより、合焦状態を調節することができるよう構成される。また、絞り１１６は、不図示の絞りリングの操作などを介してその開口面積を変更することができ、これにより撮影時の明るさや焦点深度を変更できるよう構成される。
【００２６】
撮影前には、撮影者は、撮影レンズ１００の光学系から入射される光像は、主ミラー１１７により反射されてプリズム１１１を透過後、ファインダーレンズ１１２を介して観察することができる。この観察結果に基づき、撮影者は、フォーカスユニット１１４や絞り１１６を調節し、また、撮影タイミングを選ぶことができる。
【００２７】
図１６の撮影レンズ１００では、フォーカスユニット１１４のみが配置されたいわゆる単焦点レンズの構成を示しているが、撮影レンズ１００の光学系には、さらに画角を調節するためのズーム光学系、アオリ機構などが追加されていてもよい。
【００２８】
主ミラー１１７は例えばハーフミラーで構成でき、この主ミラー１１７を透過した光は、後方に配置されたサブミラー１１８によりＡＦ（オートフォーカス）ユニット１１３の方向に反射される。このサブミラー１１８の反射光は測距に利用することができる。
【００２９】
不図示のシャッタ（レリーズ）ボタンの操作を契機として撮影動作が行われるが、この撮影時には、不図示の駆動機構を介して、主ミラー１１７とサブミラー１１８を光路外に移動させる。そしてシャッタ１０９を開き、撮像素子１１０に撮影レンズ１００から入射した撮影光像を結像させる。なお、図１６の一眼レフカメラの撮像素子１１０に替えて銀塩フィルムに変更する場合でも、本実施形態の鏡筒部品に関しては、同様の構成を実施することができる。図１６において、本実施形態の鏡筒部品を含むレンズ鏡筒１は、例えば光学素子としてレンズ４〜７を含む撮影レンズ１００の前群に相当する。
【００３０】
本実施形態において、図４のレンズ鏡筒１では、その外装は鏡筒部品としての筒状の外鏡筒２によって構成され、図１に示すように、その内部に同じく筒状の内鏡筒３が収容されている。
【００３１】
図１に示すように、内鏡筒３はレンズ４、５、６、７の各々の光学素子を主光軸Ｏ−Ｓ上に整列するよう位置決め保持する。主光軸Ｏ−Ｓは、被写体側（Ｏ）および撮像面側（Ｓ）の２つの参照符号により示してある（以下同様）。図１６の撮影レンズ１００では、レンズ４、５、６、７は、撮影光学系の前群のレンズ群を構成する。レンズ４〜７はそれぞれレンズ押え環８、９、１０、１１により内鏡筒３内の所定位置に係合保持される。
【００３２】
レンズ鏡筒１の内部と、外界（鏡筒外部）は、最外部の外鏡筒２と内鏡筒３の当接部Ａ１、Ａ２により遮断されている。
【００３３】
外鏡筒２および内鏡筒３は、樹脂や金属などの材料から構成することができる。当接部Ａ１、Ａ２は、嵌合爪や溝、突条、雄雌のネジ部などの組合せによって構成することができる。その場合、例えば、外鏡筒２を内鏡筒３の後方（撮像面側Ｓ）側から被せて圧着することなどにより、当接部Ａ１、Ａ２の密閉が完成される。なお、必要に応じて、外鏡筒２および内鏡筒３をビス止めなどによって固着する構造を用いてもよい。また、当接部Ａ１、Ａ２の密閉ないし遮断（遮光）にはＯリングを用いてもよいし、また、インロー形状を形成する構成を用いてもよい。
【００３４】
被写体の反射光は、図１の左方（被写体側Ｏ）からレンズ４、レンズ５、レンズ６、レンズ７と順次透過し、さらに上述した図１６の光学系では、フォーカスユニット１１４〜後群のレンズ１２０を介して撮像素子１１０の撮像面に結像される。
【００３５】
本実施形態の鏡筒部品、特に、内鏡筒３の筒形状の内面には、ブラインド部Ａ６を形成してある。ブラインド部Ａ６は図２、図３に拡大して示すように被写体側（Ｏ）に向かって開口した傾斜をもつスラット（下記のＡ６１）により構成されている。ブラインド部Ａ６を構成するブラインド部Ａ６は、複数のスラットＡ６１によって構成する。本実施形態のスラットＡ６１は、図３に模式的に示すように、被写体側（Ｏ）に向かって開口した住宅用のいわゆるベネチアンブラインドと同等の遮光（ないしは反射）機能を有する。図３は、内鏡筒３、外鏡筒２と、ブラインド部（Ａ６）を構成するため内鏡筒３に配置するスラットＡ６１、および主光軸Ｌ０（被写体側（Ｏ）〜撮像面側（Ｓ））と鏡筒内を進む光線Ｌ１、Ｌ２の光学的な位置関係を簡略化して示している。
【００３６】
本実施形態の複数のスラットＡ６１は、被写体側（Ｏ）、即ち入射側から鏡筒内面方向に照射される光線を、出射側に伝播する光量が低減するよう遮光、または反射させる。即ち、図３に示すように、スラットＡ６１は、例えば内鏡筒３を通過した光線Ｌ１の外鏡筒２による反射光が撮像面側に到達しないよう遮光する。
【００３７】
ブラインド部（Ａ６）を構成する複数のスラットＡ６１の形状、傾斜角度、または寸法は、入射側から鏡筒内面方向に照射される光線を、出射側（撮像面側（Ｓ））に伝播する光量が低減できるよう設計することができる。また、複数のスラットＡ６１の形状、傾斜角度、または寸法は、入射側（被写体側（Ｏ））から出射側（撮像面側（Ｓ））に向って、形状、傾斜角度、または寸法が漸次変化するよう配置することもできる。
【００３８】
入射側から鏡筒内面方向に照射される光線が出射側（撮像面側（Ｓ））に伝播する光量が低減されるか否かは、スラットＡ６１の各部で反射（ないし遮光）される光線の軌跡を例えば照明設計解析ソフトウェアなどを用いて予め計算することができる。このような照明設計解析ソフトウェアとして、例えばＳｙｎｏｐｓｙｓ社のＬｉｇｈｔＴｏｏｌｓ（登録商標）などが知られている。この種のソフトウェアを用いることにより、レンズの透過光や、部品による反射光や拡散光の動きを把握することができ、その結果から例えばブラインド部Ａ６の配置位置、その複数のスラットＡ６１の傾斜角度などを決定することができる。
【００３９】
例えば、図６の斜視図に示すようにブラインド部Ａ６を光軸と垂直ではなく斜めに設置することでブラインド部Ａ６に到達した光線Ｌ３は光軸方向に戻らず横方向に反射することになる。好ましくは、スラットＡ６１が、主光軸（上記のＬ０）と直交する面、または同光軸と平行な直線に対して傾斜する角度は４５°、ないしは４５°を中心として±１０°の範囲に取ると良い。これにより、ゴーストやフレアを効果的に抑制することができ、レンズ鏡筒１全体の強度維持も容易になる。また、図６（図１、図５などにおいても同様）、ブラインド部Ａ６は、任意の間隔で周方向に対称的に配置することができる。上記のような構成により、主光軸（Ｌ０）の方向に働く荷重や主光軸（Ｌ０）を中心とした回転トルク（ねじり力）に対して、内鏡筒３ないし外鏡筒２と一体となって構成されるレンズ鏡筒１全体の強度を維持できる。
【００４０】
内鏡筒３（あるいはさらに外鏡筒２）の内面、および（または）スラットＡ６１の表面（光軸ＬＯの方向を向く面）は、例えば反射防止面で構成することができる。この反射防止面は、反射光を拡散する塗装（例えばマット黒色塗装など）や表面加工によって形成することができる。このような構成によって、図３の光線Ｌ２のようにスラットＡ６１の表面（光軸ＬＯの方向を向く面）に照射された光線を拡散反射させ、減衰させることができる。これにより、撮像素子１１０（図１６）の撮像面に到達しうる有害光の光量を低減でき、また例えその有害光が撮像面に到達しても弱い光量に減光されているため、有害なゴーストやフレアを効果的に低減できる。なお、この反射防止面は、上記のような塗装によるものの他、静電植毛といった表面加工技術や成形時のマット処理などを利用して形成することもできる。
【００４１】
また、複数のスラットＡ６１を備えたブラインド部Ａ６は、内鏡筒３の内面にくまなく配置する必要はない。例えば、上記同様に、照明設計解析ソフトウェアによる光線追跡などによって、効果的に有害光を低減できる内鏡筒３の内面の適当な位置にブラインド部Ａ６を配置することができる。そして、それ以外の領域をソリッドに造形された強度保持部Ａ４とし、これにより、内鏡筒３ないし外鏡筒２と一体となって構成されるレンズ鏡筒１全体の強度を維持することができる。逆に、必要な強度の計算を行うことによって、ブラインド部Ａ６の配置や大きさを決定してもよい。あるいは、光線追跡などにより有害光低減を狙って計算したブラインド部Ａ６および強度保持部Ａ４の配置ないし寸法を、強度計算に基づき適切かどうか確認するような設計手続を取ることもできる。なお、この種の強度計算には、Ａｌｔａｉｒ社のＯｐｔｉＳｔｒｕｃｔ（登録商標）のような位相最適化ソフトウェアを用いることができる。この種の位相最適化ソフトウェアを用いることにより、強度的に必要な部位と不必要な部位を見分けることができる。
【００４２】
例えば、図５は、ブラインド部Ａ６および強度保持部Ａ４を、その周面に適宜配置した内鏡筒３の全体構成の一例を斜視図として示している。図５の構成では、ブラインド部Ａ６では、上記のように間隔で周方向に対称的な２つの傾斜角度を有するスラット（Ａ６１）の配置を取っている。また、図５の左方に示した大口径部に配置されたブラインド部Ａ６では、内鏡筒３の全周に渡ってブラインド部Ａ６を配置することなく、各々のブラインド部Ａ６の間にソリッドに造形された強度保持部Ａ４を配置して、必要な強度を維持するようにしている。なお、図５の内鏡筒３では、その外周の外鏡筒２との係合ないし嵌合に必要な位置に、フランジ部３１、３２を配置してある。また、強度維持ないしは軽量化のための肉抜き部を構成すべく、内鏡筒３の外周の適当な位置にリブ３３を配置することもできる。
【００４３】
また、図５（あるいは図１）に示すように、内鏡筒３の中間位置などに設けた段差形状から成る当接部Ａ５はレンズ位置を安定させ、補正加工が行いやすいよう、ブラインド部Ａ６を設けない領域とすることができる。また、図１のレンズ押え環８〜１１と係合する領域や内鏡筒３がカメラ本体など他部品と係合する領域にもブラインド部Ａ６を設けず、精度出しのための機械加工を行いやすいようにしておくのも良い。
【００４４】
ブラインド部Ａ６の厚みは薄く取る程、内鏡筒３の全体を小体積で構成し、かつ上記の光学的機能を果たすことができる。また、機械的にはブラインド部Ａ６は肉抜き構造部と考えることができる。従って、内鏡筒３に適宜ブラインド部Ａ６を配置することにより、内鏡筒３、さらにはレンズ鏡筒１、レンズ鏡筒１を含む撮影レンズ１００全体の軽量化を図ることができる。
【００４５】
＜内鏡筒３の製造について＞
図１〜図５に示すような、ブラインド部Ａ６のような薄肉形状部を含む内鏡筒３は、各種の製造方法によって製作することができる。例えば、型構造や薄肉形状部に工夫が必要となる可能性があるが、射出成形やダイキャストその他の鋳造などの手法によって製造することが考えられる。また、ブラインド部Ａ６を含まない内鏡筒３を上記の射出成形やダイキャストその他の鋳造などの手法により製作し、その後、機械加工や放電加工などでブラインド部Ａ６を形成することもできる。
【００４６】
また、ブラインド部Ａ６のような薄肉形状部を含み、例えば図５に示す程度の複雑さを有する形状の内鏡筒３は、３Ｄプリンタを用いて好適に製造できる。図７は、例えば図１や図５に相当する形状の内鏡筒３を３Ｄプリンタ２０１を用いて造形する様子を半ば模式的に示している。
【００４７】
図７の例では、内鏡筒３を比較的大口径の入射側（上記の被写体側（Ｏ））から、比較的小口径の出射側（同撮像面側（Ｓ））に向かう積層方向ＬＬに３Ｄプリンタ２０１により積層造形を繰り返す。図７では、積層方向ＬＬは内鏡筒３が収容する光学系の主光軸（例えば図１のＯ−Ｓ）に一致した位置に図示してある。そして、このような造形手法では、主光軸（Ｏ−Ｓ）と積層方向ＬＬは平行であり、主光軸（Ｏ−Ｓ）と積層方向ＬＬに直交する造形層が３Ｄプリンタ２０１によって順次、造形される。なお、図７において、ＬＬ２は、例えば主光軸（Ｏ−Ｓ）と積層方向ＬＬに直交する造形層（の１つ）を示している。
【００４８】
造形時には、３Ｄプリンタ２０１には、内鏡筒３を造形するための３Ｄプリントデータ２０２を供給しておく。この３Ｄプリントデータ２０２は、例えば内鏡筒３の３ＤＣＡＤデータなどであり、その場合、３Ｄプリンタ２０１が、３ＤＣＡＤデータを積層方向ＬＬで積層的に造形を行うための層（スライス）データに分解して用いる。また、直接このような層（スライス）データを３Ｄプリントデータ２０２として３Ｄプリンタ２０１に供給してもよい。なお、サーバやホスト装置（不図示）から３Ｄプリンタ２０１に３Ｄプリントデータ２０２を供給する場合、３Ｄプリントデータ２０２はネットワーク通信によって送信してもよい。あるいは、各種の光ディスクやフラッシュメモリデバイスのようなコンピュータ読み取り可能な記録媒体に３Ｄプリントデータ２０２を格納して３Ｄプリンタ２０１に供給することもできる。その場合、上記のような３Ｄプリントデータ２０２を格納するコンピュータ読み取り可能な記録媒体は、本発明の記録媒体を構成する。
【００４９】
また、図７の例では、積層方向ＬＬ、即ち内鏡筒３の軸芯（上記の主光軸Ｏ−Ｓと同軸）と平行な方向と、ブラインド部Ａ６のスラット（Ａ６１）がなす傾斜角度（θ）は、例えばほぼ４５°〜５５°程度の範囲に取られている。３Ｄプリント造形に関しては、ブラインド部Ａ６のスラット（Ａ６１）の傾斜角度（θ）は、好ましくは５０°以下、最大でも先の不要光の反射方向を考慮しても５５°程度以下にすることが望ましい。このような傾斜角度（θ）の設定によって、ブラインド部Ａ６のスラット（Ａ６１）の部位において、３Ｄプリント造形時のオーバーハングによる造形精度が低下するのを抑制することができる。
【００５０】
例えば、ブラインド部Ａ６のスラット（Ａ６１）の傾斜角度（θ）が５０°〜５５°程度を超えて、図７の水平方向に寝た姿勢に近づくほど、安定した３Ｄ造形が困難になる可能性がある。これに対して、ブラインド部Ａ６のスラット（Ａ６１）の傾斜角度（θ）を５０°程度以下、好ましくは４５°程度に取ることにより、内鏡筒３を安定した３Ｄプリントによって造形することができる。
【００５１】
以下、図８〜図１５にそれぞれ示す実施形態２〜９において、上述の図３と同様の形式で、ブラインド部Ａ６を構成する複数のスラットＡ６１の構造、特にその断面構造や配置、寸法に関する様々な変形例を示す。図８〜図１５は、内鏡筒３、外鏡筒２と、ブラインド部（Ａ６）を構成するため内鏡筒３に配置するスラットＡ６１、および主光軸Ｌ０（被写体側（Ｏ）〜撮像面側（Ｓ））と鏡筒内を進む光線Ｌ１、Ｌ２の光学的な位置関係を簡略化して示している。以下の図８〜図１５においては、上述の図３におけるのと同一ないし同等の部材には同一の参照符号を用い、その詳細については重複した説明の繰り返しを省略するものとする。
【００５２】
なお、以下に示すスラットＡ６１の断面構造や配置、寸法は、上記の照明設計解析ソフトウェアによる光線追跡などを行うことにより決定でき、また、その特定構成の有効性、特に有害光低減に係る性能などを評価ないし検証することができる。
【００５３】
＜実施形態２＞
図８の構成では、内鏡筒３のブラインド部Ａ６を構成するスラットＡ６１は、その傾斜方向を図３とは逆方向に取り、撮像面側（Ｓ）に開口するようなブラインド形状を構成している。
【００５４】
このような構成によれば、ブラインド部Ａ６により反射する光線Ｌ４は、光軸Ｌ０に向かう方向に反射され、撮像素子１１０（図１６）の撮像面に到達しうる、ゴーストやフレアを発生させる可能性のある有害光の光量を低減することができる。即ち、このような構成によっても、内鏡筒３の入射側（被写体側（Ｏ））から鏡筒内面方向に照射される光線を、出射側（撮像面側（Ｓ））に伝播する光量が低減するよう遮光、または反射させることができる。
【００５５】
また、内鏡筒３の内面部を構成するスラットＡ６１の端面を上記同様の手法により反射防止面とすることにより、このスラットＡ６１の内面側の端面で反射した光線Ｌ５は撮像面側に到達しても拡散反射することにより減衰できる。これにより有害なゴーストやフレアが発生するのを効果的に抑制することができる。
【００５６】
＜実施形態３＞
図３や図８では、内鏡筒３の内面部を構成するスラットＡ６１の端面が、主光軸Ｌ０とほぼ平行に取られた構成を示した。これに対して、図９の構成は、内鏡筒３のブラインド部Ａ６を構成するスラットＡ６１の内面側の端面Ａ７１は、主光軸Ｌ０とは平行ではなく、例えば撮像面側（Ｓ）を向くように傾斜させた構成である。
【００５７】
このような構成によれば、内鏡筒３の入射側（被写体側（Ｏ））から鏡筒内面方向に照射される光線Ｌ６を傾斜したスラットＡ６１の内面側の端面Ａ７１で反射させることができる。これにより、光線Ｌ６は主に光軸Ｌ０に向かう方向に向かうようになり、撮像素子１１０（図１６）の撮像面に到達しうる、ゴーストやフレアを発生させる可能性のある有害光の光量を低減することができる。即ち、このような構成によっても、内鏡筒３の入射側（被写体側（Ｏ））から鏡筒内面方向に照射される光線を、出射側（撮像面側（Ｓ））に伝播する光量が低減するよう遮光、または反射させることができる。
【００５８】
なお、スラットＡ６１の内面側の端面Ａ７１を、上記同様の手法により反射防止面とすることによって、より大きな有害光の低減効果を期待できる。
【００５９】
＜実施形態４＞
図１０の構成は、内鏡筒３のブラインド部Ａ６を構成する複数のスラットＡ６１の傾斜角度θ１や間隔Ｓ１を、遮光をより確実に行えるよう、各々の配置位置に応じて変更した構成である。各スラットＡ６１の傾斜角度θ１や間隔Ｓ１は、鏡筒内面方向に向かう有害光の原因となりうる光線群Ｌ８の分布や方向に基づき決定することができる。光線群Ｌ８の分布や方向は、例えば照明設計解析ソフトウェアによる光線追跡を行うことによって取得できる。
【００６０】
図１０の複数のスラットＡ６１の傾斜角度θ１や間隔Ｓ１は、内鏡筒３の入射側から鏡筒内面方向に向かう光線群Ｌ８が互いに平行ではないような場合を想定しており、このような分布や方向を持つ光線群Ｌ８を効果的に遮光できるよう決定されている。
【００６１】
このような構成によって、内鏡筒３の入射側（被写体側（Ｏ））から鏡筒内面方向に照射され、外鏡筒２の内面２１で反射される光線群Ｌ８を各スラットＡ６１で効果的に遮光できる。これにより、撮像素子１１０（図１６）の撮像面に到達しうる、ゴーストやフレアを発生させる可能性のある有害光の光量を低減することができる。即ち、このような構成によっても、内鏡筒３の入射側（被写体側（Ｏ））から鏡筒内面方向に照射される光線を、出射側（撮像面側（Ｓ））に伝播する光量が低減するよう遮光、または反射させることができる。
【００６２】
なお、スラットＡ６１の内面側の端面を、上記同様の手法により反射防止面とすることによって、より大きな有害光の低減効果を期待できる。また、実施形態２（図８）と同様に、スラットＡ６１の傾斜角度を逆に取る場合でも、内鏡筒３のブラインド部Ａ６を構成する複数のスラットＡ６１の傾斜角度や間隔を、各々の配置位置に応じて変更した構成を実施することができる。
【００６３】
＜実施形態５＞
図１１の構成は、内鏡筒３のブラインド部Ａ６を構成する複数のスラットＡ６１の間隔Ｓ１、あるいは主光軸Ｌ０に直交する方向の長さＳ２を、その配置部位に応じて変更した構成である。
【００６４】
スラットＡ６１の間隔Ｓ１、あるいは主光軸Ｌ０に直交する方向の長さＳ２は、鏡筒内面方向に向かう有害光の原因となりうる光線Ｌ９の分布や方向に基づき決定することができる。光線Ｌ９の分布や方向は、例えば照明設計解析ソフトウェアによる光線追跡を行うことによって取得できる。例えば、図１１のように、光線追跡の結果、鏡筒内面方向に向かう光線Ｌ９が特定の部位で大きな光量となるような場合には、例えばその部位のスラットＡ６１２の間隔Ｓ１、あるいは主光軸Ｌ０に直交する方向の長さＳ２を他よりも大きく取ることができる。
【００６５】
このような構成によって、内鏡筒３の入射側（被写体側（Ｏ））から鏡筒内面方向に照射され、外鏡筒２の内面２１で反射される光線Ｌ９を各スラットＡ６１で効果的に遮光できる。これにより、撮像素子１１０（図１６）の撮像面に到達しうる、ゴーストやフレアを発生させる可能性のある有害光の光量を効果的に低減することができる。即ち、このような構成によっても、内鏡筒３の入射側（被写体側（Ｏ））から鏡筒内面方向に照射される光線を、出射側（撮像面側（Ｓ））に伝播する光量が低減するよう遮光、または反射させることができる。
【００６６】
なお、スラットＡ６１の内面側の端面を、上記同様の手法により反射防止面とすることによって、より大きな有害光の低減効果を期待できる。また、実施形態２（図８）と同様に、スラットＡ６１の傾斜角度を逆に取る場合でも、内鏡筒３のブラインド部Ａ６を構成する複数のスラットＡ６１の傾斜角度や間隔を、各々の配置位置に応じて変更した構成を実施することができる。
【００６７】
＜実施形態６＞
図１２は、内鏡筒３のブラインド部Ａ６を構成する複数のスラットＡ６１の断面を直線ではなく、曲線により構成した例を示している。特に、図１２では、複数のスラットＡ６１の傾斜角度が図８と同じように取られており、撮像面側（Ｓ）に開口するようなブラインド形状を構成している。また、複数のスラットＡ６１の主光軸Ｌ０を向く内面側は凹面で構成されており、この面で反射される光線Ｌ１０が内鏡筒３の出射側（撮像面側（Ｓ））になるべく向かないように配慮されている。
【００６８】
これにより、撮像素子１１０（図１６）の撮像面に到達しうる、ゴーストやフレアを発生させる可能性のある有害光の光量を低減することができる。即ち、このような構成によっても、内鏡筒３の入射側（被写体側（Ｏ））から鏡筒内面方向に照射される光線を、出射側（撮像面側（Ｓ））に伝播する光量が低減するよう遮光、または反射させることができる。
【００６９】
なお、複数のスラットＡ６１の傾斜角度を図３と同じように取り、内鏡筒３の入射側（被写体側（Ｏ））に開口するようなブラインド形状を構成する場合にも、複数のスラットＡ６１の断面を直線ではなく、曲線により構成することが考えられる。その場合、例えば、外鏡筒２の内面（２１）側を向く面を凹面で構成することが考えられる。
【００７０】
なお、スラットＡ６１の反射面となる側の面を、上記同様の手法により反射防止面とすることによっても、より大きな有害光の低減効果を期待できる。
【００７１】
＜実施形態７＞
図１３の構成は、内鏡筒３のブラインド部Ａ６を構成する複数のスラットＡ６１を、屈曲した多角形形状とした例である。
【００７２】
この構成では、各々のスラットＡ６１は内鏡筒３の内面とほぼ面一な向きを有する部位Ａ６１３と、内鏡筒３の入射側（被写体側（Ｏ））に開口するような傾斜した開口を形成する部位Ａ６１４から構成されている。そして、スラットＡ６１の部位Ａ６１３は、このブラインド形状の内鏡筒３の入射側（被写体側（Ｏ））に開口するような傾斜した開口を塞ぐよう屈曲している。
【００７３】
このような構成によって、内鏡筒３の入射側（被写体側（Ｏ））から鏡筒内面方向に照射され、外鏡筒２の内面２１に到達しうる光線Ｌ１１をスラットＡ６１の部位Ａ６１３で遮光することができる。また、外鏡筒２の内面２１で反射された光線Ｌ１１は部位Ａ６１４で遮光することができる。これにより、撮像素子１１０（図１６）の撮像面に到達しうる、ゴーストやフレアを発生させる可能性のある有害光の光量を低減することができる。即ち、このような構成によっても、内鏡筒３の入射側（被写体側（Ｏ））から鏡筒内面方向に照射される光線を、出射側（撮像面側（Ｓ））に伝播する光量が低減するよう遮光、または反射させることができる。
【００７４】
なお、スラットＡ６１の反射面となる側の面を、上記同様の手法により反射防止面とすることによっても、より大きな有害光の低減効果を期待できる。
【００７５】
＜実施形態８＞
図１４の構成は、内鏡筒３のブラインド部Ａ６を構成する複数のスラットＡ６１を、主光軸Ｌ０の側の部位Ａ６１５の厚みが、外鏡筒２の側の部位Ａ６１６の厚みよりも大きい台形断面で構成した例を示している。
【００７６】
このような構成によれば、内鏡筒３の入射側（被写体側（Ｏ））から鏡筒内面方向に照射され、外鏡筒２の内面２１に到達しうる光線Ｌ１２をスラットＡ６１の部位Ａ６１５で遮光することができる。また、外鏡筒２の内面２１で反射された光線Ｌ１１はスラットＡ６１の外鏡筒２側を向いた面で遮光することができる。これにより、撮像素子１１０（図１６）の撮像面に到達しうる、ゴーストやフレアを発生させる可能性のある有害光の光量を低減することができる。即ち、このような構成によっても、内鏡筒３の入射側（被写体側（Ｏ））から鏡筒内面方向に照射される光線を、出射側（撮像面側（Ｓ））に伝播する光量が低減するよう遮光、または反射させることができる。
【００７７】
なお、スラットＡ６１の反射面となる側の面を、上記同様の手法により反射防止面とすることによっても、より大きな有害光の低減効果を期待できる。
【００７８】
＜実施形態９＞
図１５の構成は、内鏡筒３のブラインド部Ａ６を構成する複数のスラットＡ６１を、主光軸Ｌ０の側の部位Ａ６１７の厚みが大きい底辺とし、一方、外鏡筒２の側の部位Ａ６１８が頂点を構成する三角形断面で構成した例を示している。
【００７９】
このような構成においても、内鏡筒３の入射側（被写体側（Ｏ））から鏡筒内面方向に照射され、外鏡筒２の内面２１に到達しうる光線Ｌ１３を厚みのあるスラットＡ６１の部位Ａ６１７で遮光することができる。また、外鏡筒２の内面２１で反射された光線Ｌ１１はスラットＡ６１の外鏡筒２側を向いた面で遮光することができる。これにより、撮像素子１１０（図１６）の撮像面に到達しうる、ゴーストやフレアを発生させる可能性のある有害光の光量を低減することができる。即ち、このような構成によっても、内鏡筒３の入射側（被写体側（Ｏ））から鏡筒内面方向に照射される光線を、出射側（撮像面側（Ｓ））に伝播する光量が低減するよう遮光、または反射させることができる。
【００８０】
なお、スラットＡ６１の反射面となる側の面を、上記同様の手法により反射防止面とすることによっても、より大きな有害光の低減効果を期待できる。
【００８１】
以上の実施形態２〜９（図８〜図１５）で示したブラインド部Ａ６を構成する複数のスラットＡ６１の様々な構成は、組合せが不可能でない限り当業者において任意に取捨選択し、組合せて用いることができる。
【００８２】
また、以上では、ブラインド構造を有する反射ないし遮光手段の実施対象として光学鏡筒を例示したが、上述のようなブラインド構造を有する反射ないし遮光手段は、光学鏡筒以外にも流用できる可能性がある。例えばゴーストやフレアを抑制し軽量化が望まれるカメラ本体の一般に平面で光軸周辺を囲む遮光部材やＡＦ（オートフォーカス）用の測距センサを保持する遮光部材などにも適用して構わない。
【符号の説明】
【００８３】
１  レンズ鏡筒（光学鏡筒）、２…外鏡筒（鏡筒部品）、３…内鏡筒（鏡筒部品）、４〜７…レンズ、８〜１１…レンズ押え環、Ａ１、Ａ２…当接部、Ａ４…強度保持部、Ａ５…レンズ当接部、Ａ６…ブラインド部、Ａ６１…スラット、Ｌ０…主光軸、Ｌ１〜Ｌ１３…光線（光線群）、２００…カメラ（光学機器）。
【図１】
2018124406.tif 000003
【図２】
2018124406.tif 000004
【図３】
2018124406.tif 000005
【図４】
2018124406.tif 000006
【図５】
2018124406.tif 000007
【図６】
2018124406.tif 000008
【図７】
2018124406.tif 000009
【図８】
2018124406.tif 000010
【図９】
2018124406.tif 000011
【図１０】
2018124406.tif 000012
【図１１】
2018124406.tif 000013
【図１２】
2018124406.tif 000014
【図１３】
2018124406.tif 000015
【図１４】
2018124406.tif 000016
【図１５】
2018124406.tif 000017
【図１６】
2018124406.tif 000018